(57)【要約】【課題】ユーザが機能操作を行う際に過去の機能操作時に得られた履歴情報を検索し、類似性の高い履歴情報をユーザに提供することが可能な携帯情報端末及びその履歴情報通知方法を提供する。【解決手段】機能操作時に得られた操作日時、ＧＰＳによるＧＰＳ情報及びその操作によって得られた物理データの保存場所等を順次履歴情報として機能操作経験データベース２０２に蓄積する。また、機能操作時の物理データを得る前に操作日時又はＧＰＳによるＧＰＳ情報を検索キーとしてデータベース２０２を検索し、該当する履歴情報をリスト化して類似操作機能結果物リスト２０９を表示画面上に表示する。更に、そのリストのうちユーザによって選択されたリストの物理データを表示する。【選択図】図２
2011108019.tif 000002
【特許請求の範囲】
【請求項１】
機能操作時に得られた少なくとも操作日時、ＧＰＳによるＧＰＳ情報及びその操作によって得られた物理データ又はその保存場所を順次履歴情報として蓄積したデータベースと、
機能操作時の物理データを得る前に得られた少なくとも操作日時又はＧＰＳによるＧＰＳ情報を検索キーとして前記データベースを検索し、該当する履歴情報をリスト化する手段と、
前記履歴情報のリストを表示画面上に表示する手段と、
を備えたことを特徴とする携帯情報端末。
【請求項２】
機能操作時に得られた少なくとも操作日時及びＧＰＳによるＧＰＳ情報及びその操作によって得られた物理データ又はその保存場所を履歴情報として蓄積した機能操作経験データベースと、
表示画面が所定機能を実行する機能実行画面の状態で、当該機能実行画面で得られた少なくとも操作日時及び前記ＧＰＳによるＧＰＳ情報を含む一次メモリデータベースを作成する手段と、
前記一次メモリデータベースの少なくとも前記操作日時又は前記ＧＰＳ情報を検索キーとして、前記機能操作経験データベースを検索し、少なくとも操作日時、機能操作の種別を示す操作結果物種を含む履歴情報をリスト化して類似操作機能結果物リストデータベースを作成する手段と、
前記機能操作画面上に前記類似操作機能結果物リストデータベースのリストを表示する手段と、
を備えたことを特徴とする携帯情報端末。
【請求項３】
更に、前記リストのうちユーザ操作によって選択されたリストの物理データを前記表示画面上に表示する手段を有することを特徴とする請求項１又は２に記載の携帯情報端末。
【請求項４】
前記一次メモリデータベースには機能種類を含むメニュー番号が付与され、前記機能操作経験データベースを前記メニュー番号を検索キーにして前記メニュー番号の機能種類が同じものを検索することを特徴とする請求項２に記載の携帯情報端末。
【請求項５】
機能操作時に得られた少なくとも物理データが保存された操作日時、前記物理データの保存時のＧＰＳによるＧＰＳ情報、前記物理データの種別、前記物理データに付与された名称、及び前記物理データ又はその保存場所を履歴情報として蓄積した機能操作経験データベースと、
表示画面が所定機能を実行する機能実行画面の状態で、当該機能実行画面で得られた少なくとも前記操作日時及び前記ＧＰＳによるＧＰＳ情報を含む一次メモリデータベースを作成する手段と、
前記一次メモリデータベースの少なくとも前記操作日時又はＧＰＳ情報を検索キーとして前記機能操作経験データベースを検索し、少なくとも操作日時、前記物理データの種別、前記物理データの名称に含まれるテキスト情報をリスト化して類似操作機能結果物リストデータベースを作成する手段と、
前記機能操作画面上にキー又はアイコンの形態で前記類似操作機能結果物リストデータベースを作成したことを表示する手段と、
前記機能操作画面上に表示された前記キー又はアイコンをユーザが操作した時に前記類似操作機能結果物リストデータベースのリストを前記機能操作画面上に表示する手段と、
前記表示されたリストのうちユーザ操作によって選択されたリストの物理データを前記機能操作画面上に表示する手段と、
を備えたことを特徴とする携帯情報端末。
【請求項６】
前記ＧＰＳ情報には、前記物理データの保存時の住所情報が含まれ、前記住所情報を検索キーとして前記機能操作経験データベースを検索した時に前記住所情報が前記物理データに付与された名称にヒットした短文をテキスト情報として抽出することを特徴とする請求項５に記載の携帯情報端末。
【請求項７】
ユーザ操作により表示画面が初期画面に戻った場合には、前記一次メモリデータベース及び前記類似操作機能結果物リストを消去することを特徴とする請求項５又は６に記載の携帯情報端末。
【請求項８】
ユーザ操作により表示画面が初期画面に戻った場合には、前記操作日時、前記ＧＰＳ情報、前記物理データの種別、前記物理データに付与された名称及び前記物理データ又はその保存場所を前記機能操作経験データベースに新規に保存することを特徴とする請求項５又は６に記載の携帯情報端末。
【請求項９】
前記一次メモリデータベースには、機能の種類を含むメニュー番号が付与され、前記機能操作経験データベースを前記メニュー番号を検索キーにして検索を行い、前記メニュー番号の機能の種類が同じものを検索することを特徴とする請求項５乃至８のいずれか１項に記載の携帯情報端末。
【請求項１０】
蓄積手段により、機能操作毎に少なくとも操作日時、ＧＰＳによるＧＰＳ情報及びその操作によって得られた物理データ又はその保存場所を順次履歴情報としてデータベースに順次蓄積する工程と、
リスト化手段により、機能操作時の物理データを得る前に得られた少なくとも操作日時又はＧＰＳによるＧＰＳ情報を検索キーとして前記データベースを検索し、該当する履歴情報をリスト化する工程と、
表示手段により、前記履歴情報のリストを表示画面上に表示する工程と、
を含むことを特徴とする履歴情報通知方法。
【請求項１１】
蓄積手段により、機能操作毎に少なくとも操作日時及びＧＰＳによるＧＰＳ情報及びその操作によって得られた物理データ又はその保存場所を履歴情報として機能操作経験データベースに順次蓄積する工程と、
第１データベース作成手段により、表示画面が所定機能を実行する機能実行画面の状態で、当該機能実行画面で得られた少なくとも操作日時及び前記ＧＰＳによるＧＰＳ情報を含む一次メモリデータベースを作成する工程と、
第２データベース作成手段により、前記一次メモリデータベースの少なくとも前記操作日時又は前記ＧＰＳ情報を検索キーとして、前記機能操作経験データベースを検索し、少なくとも操作日時、機能操作の種別を示す操作結果物種を含む履歴情報をリスト化して類似操作機能結果物リストデータベースを作成する工程と、
表示手段により、前記機能操作画面上に前記類似操作機能結果物リストデータベースのリストを表示する工程と、
を含むことを特徴とする履歴情報通知方法。
【請求項１２】
更に、前記リストのうちユーザ操作によって選択されたリストの物理データを前記表示画面上に表示することを特徴とする請求項１０又は１１に記載の履歴情報通知方法。
【請求項１３】
前記一次メモリデータベースには、機能の種類を含むメニュー番号が付与され、前記機能操作経験データベースを前記メニュー番号を検索キーにして検索を行い、前記メニュー番号の機能の種類が同じものを検索することを特徴とする請求項１１に記載の履歴情報通知方法。
【請求項１４】
蓄積手段により、機能操作時に得られた少なくとも物理データが保存された操作日時、前記物理データの保存時のＧＰＳによるＧＰＳ情報、前記物理データの種別、前記物理データに付与された名称、及び前記物理データ又はその保存場所を履歴情報として機能操作経験データベースに蓄積する工程と、
第１データベース作成手段により、表示画面が所定機能を実行する機能実行画面の状態で、当該機能実行画面で得られた少なくとも前記操作日時及び前記ＧＰＳによるＧＰＳ情報を含む一次メモリデータベースを作成する工程と、
第２データベース作成手段により、前記一次メモリデータベースの少なくとも前記操作日時又はＧＰＳ情報を検索キーとして前記機能操作経験データベースを検索し、少なくとも操作日時、前記物理データの種別、前記物理データの名称に含まれるテキスト情報をリスト化して類似操作機能結果物リストデータベースを作成する工程と、
第１表示手段により、前記機能操作画面上にキー又はアイコンの形態で前記類似操作機能結果物リストデータベースを作成したことを表示する工程と、
第２表示手段により、前記機能操作画面上に表示された前記キー又はアイコンをユーザが操作した時に前記類似操作機能結果物リストデータベースのリストを前記機能操作画面上に表示する工程と、
第３表示手段により、前記表示されたリストのうちユーザ操作によって選択されたリストの物理データを前記機能操作画面上に表示する工程と、
を含むことを特徴とする履歴情報通知方法。
【請求項１５】
前記ＧＰＳ情報には、前記物理データの保存時の住所情報が含まれ、前記住所情報を検索キーとして前記機能操作経験データベースを検索した時に前記住所情報が前記物理データに付与された名称にヒットした短文をテキスト情報として抽出することを特徴とする請求項１４に記載の履歴情報通知方法。
【請求項１６】
ユーザ操作により表示画面が初期画面に戻った場合には、前記一次メモリデータベース及び前記類似操作機能結果物リストを消去することを特徴とする請求項１４又は１５に記載の履歴情報通知方法。
【請求項１７】
ユーザ操作により表示画面が初期画面に戻った場合には、前記操作日時、前記ＧＰＳ情報、前記物理データの種別、前記物理データに付与された名称及び前記物理データ又はその保存場所を前記機能操作経験データベースに新規に保存することを特徴とする請求項１４又は１５に記載の履歴情報通知方法。
【請求項１８】
前記一次メモリデータベースには機能種類を含むメニュー番号が付与され、前記機能操作経験データベースを前記メニュー番号を検索キーにして前記メニュー番号の機能種類が同じものを検索することを特徴とする請求項１４乃至１７のいずれか１項に記載の履歴情報通知方法。
【発明の詳細な説明】
【技術分野】
【０００１】
本発明は、携帯情報端末及びその履歴情報をユーザに通知する履歴情報通知方法に関するものである。
【背景技術】
【０００２】
従来、文字入力や電話番号等の相手先、或いはブラウジングするＷＥＢサイト等に関してヒット率の高いものを上位にリストアップし、それを利用者に提示する機能は多く知られている。
【０００３】
しかしながら、携帯電話機が高機能化して記憶容量が増えてくると、過去に記録した情報は埋没しやすくなり、一度埋没したものは利用者が積極的に探し出さないと分からなくなってしまう。そのような場合には、類似する機能操作を行った時に過去に行った操作や作成、或いは保存したデータを携帯電話機側からピックアップして通知してくれると、これから行う操作の手助けとなり、携帯電話機に蓄積された情報を再び有効活用することが可能となる。
【０００４】
特許文献１には、過去にコンピュータに対して行われた操作内容を操作履歴として記録し、その操作履歴を再生してコンピュータの使い方を習得していない利用者のコンピュータ操作を支援することが記載されている。
【０００５】
また、特許文献２には、操作者の操作履歴に基づいて近い将来行われる操作を支援する制御を、情報処理装置側が自動的に選択することで、操作性を向上させることが記載されている。
【０００６】
更に、特許文献３には、ユーザが携帯電話端末上でいずれかの機能を実行するための操作を行うと、実行時の自端末の位置情報を含む履歴データが記録部に記録され、ユーザはその履歴データから所望の履歴データを選択することで、所望の履歴データを表示することが記載されている。
【先行技術文献】
【特許文献】
【０００７】
【特許文献１】特開２００３−０２９８９１号公報
【特許文献２】特開２００６−３４４０１８号公報
【特許文献３】特開２００６−１０９２３８号公報
【発明の概要】
【発明が解決しようとする課題】
【０００８】
特許文献１、２の方法は、いずれも情報処理装置の操作履歴を記録しておき、情報処理装置の操作時にその操作履歴情報に基づいて操作性を改善しようとするものである。そのため、携帯情報端末の機能操作時に関連する過去の情報（例えば、写真撮影した時の画像データ、旅行した時の地図データ等）を、過去の履歴情報から検索して利用者に提供するものではない。
【０００９】
また、特許文献３の方法は、自端末の位置情報を含む履歴データを記録部に蓄積しておき、その履歴データから所望の履歴データを選択するものであるが、携帯情報端末の機能操作時に得られた過去の履歴情報、例えば、操作日時、位置情報、機能操作により得られた物理データ（写真や地図データ等）等を、過去の履歴情報から検索して利用者に提供するものではない。
【００１０】
本発明の目的は、機能操作を行う際に過去の機能操作時に得られた履歴情報を検索し、類似性の高い履歴情報をユーザに提供することが可能な携帯情報端末及びその履歴情報通知方法を提供することにある。
【課題を解決するための手段】
【００１１】
本発明は、機能操作時に得られた少なくとも操作日時、ＧＰＳによるＧＰＳ情報及びその操作によって得られた物理データ又はその保存場所を順次履歴情報としてデータベースに蓄積する。また、機能操作時の物理データを得る前に得られた少なくとも操作日時又はＧＰＳによるＧＰＳ情報を検索キーとしてデータベースを検索し、該当する履歴情報をリスト化して表示画面上に表示する。
【発明の効果】
【００１２】
本発明によれば、携帯情報端末の機能操作時に過去の機能操作時に得られた履歴情報から類似性の高い履歴情報を検索することにより、ユーザは携帯電話機を操作するだけで類似性の高い履歴情報を閲覧することができ、ユーザの利便性を向上させることが可能となる。
【図面の簡単な説明】
【００１３】
【図１】本発明に係る携帯情報端末の一実施形態の構成を示すブロック図である。
【図２】図１の実施形態の動作を説明するフローチャートである。
【図３】カメラ撮影時の画面遷移を示す図である。
【図４】本発明に用いる一次メモリＤＢ構造、機能操作経験ＤＢ構造及び類似操作機能結果リスト構造の一例を示す図である。
【図５】カメラ撮影時に過去の機能操作時に得られた履歴情報を表示する動作を説明する図である。
【図６】操作機能結果物リストを作成するためのソフトウェア動作の流れを示す図である。
【図７】一次メモリＤＢ、機能操作経験ＤＢ２及び類似操作機能結果物リストの一例を示す図である。
【発明を実施するための形態】
【００１４】
次に、発明を実施するための形態について図面を参照して詳細に説明する。図１は本発明に係る携帯情報端末としての携帯電話機の一実施形態を示すブロック図である。図１に示すように携帯電話機１０１は、各部の制御を行うプロセッサ１０２、ＬＣＤ等の表示装置１０３、音声を出力するスピーカ１０４、音声を入力するマイク１０５、年月日や時間の情報を出力する時計１０６を備えている。
【００１５】
また、携帯電話機１０１は、本発明に係るソフトウェアを含むプログラム（プログラムを記憶した記憶媒体）１０７、メニュー選択や文字入力、サイドキー等のキー装置１０８、通信を行う為の回線接続部１０９、カムモータ等で携帯情報端末の筐体全体に振動を与える筐体振動部１１０を備えている。
【００１６】
更に、携帯電話機１０１は、ＧＰＳ（Global Positioning System）による位置情報を取得する位置情報取得装置１１１、表示画面を埋め込む筐体をスライドさせたり、回転させたりした時の位置情報を検出する筐体状態検出装置１１２、後述する一次メモリＤＢ等各種データを記憶するメモリ１１３、図示しないカメラ等から構成され、一般的な携帯電話機の構成となっている。
【００１７】
図２は本実施形態の動作を説明するフローチャート、図３はカメラ撮影時の表示装置１０３の画面遷移を示す図、図４は機能操作時に得られる履歴情報を作成するのに用いる一次メモリＤＢ構造、機能操作経験ＤＢ構造及び類似操作機能結果リストＤＢ構造の一例を示す図である。図５はカメラ撮影時に過去の機能操作時に得られた履歴情報を表示する動作を説明する図である。
【００１８】
本実施形態では、カメラ撮影機能の操作に関する履歴情報を通知する場合の例を説明する。位置情報取得装置１１１はＧＰＳによる現在位置を一定時間おきに自動的に計測するものとする。操作履歴情報とは、携帯電話機１０１の機能を操作した時に得られる履歴情報、例えば、カメラ撮影機能を用いて撮影した時のメニュー番号、操作日時、位置情報、位置住所、その機能の種類（操作結果物種）、物理データ（カメラ撮影の写真データ）等をいう。
【００１９】
まず、図１に示す携帯電話機１０１を用い、図３に示すように待ち受け画面５０１もしくはメニュー画面５０２からカメラのアイコンメニュー、もしくはソフト的にキー割り当てされたキー装置１０８のショートカットキーを押下すると、携帯電話機１０１のカメラ撮影機能が起動し、表示装置１０３の表示画面は図３に示すように５０３（又は図５の６０１）の機能画面に遷移する。
【００２０】
この一連の操作による画面遷移が図２のＳ３０１からＳ３０３の処理と対応する。具体的には、まず、Ｓ３０１でプロセッサ１０２はメモリ１１３に一次メモリＤＢ２０１が構築されているかどうかを判断し、構築されていなければ一次メモリＤＢ２０１を図４に示す４０１の一次メモリＤＢ構造で確保する。一次メモリＤＢ構造４０１は図４に示すようにメモリ１１３上に一次メモリＤＢ２０１を作成するためのフォーマットであり、機能操作時にメニュー番号、操作日時、ＧＰＳ情報等が一時保存される。
【００２１】
一次メモリＤＢ構造４０１には、ＩＤ−０（一次メモリに保存されるユーザ操作の保存番号）、メニュー番号（携帯電話機のメニューツリー上のメニュー番号）、操作日時（物理データの保存時の日時情報）、ＧＰＳ情報（位置情報；物理データの保存時の位置情報）、位置住所；物理データの保存時の住所情報）、操作結果物種（保存された物理データの種類（写真、送信メール、受信メール、ワンセグ録画等））、操作結果名（保存された物理データにユーザが付けた名称（ファイル名、メールSubject））、保存場所（物理データが保存された場所）等の項目がある。物理データはメモリ１１３等の記憶装置に保存され、保存場所はメモリ１１３等の記憶装置上の保存場所をいう。なお、物理データは一次メモリＤＢ２０１に記録してもよいが、メモリ容量の観点から一次メモリＤＢには保存場所を記録するのが実際的である。
【００２２】
また、図４に示す機能操作経験ＤＢ構造４０２は後述するように機能操作時に得られる履歴情報を蓄積する機能操作経験ＤＢ２０２を作成するフォーマット、類似操作機能結果物リストＤＢ構造４０３は後述する類似操作機能結果物リスト２０９を作成するフォーマットである。機能操作経験ＤＢ２０２、類似操作機能結果物リスト２０９の一例を図７に示す。機能操作経験構造４ＤＢ４０２及び類似操作機能結果物リストＤＢ構造４０３の各項目は図４に示す通りである。
【００２３】
次に、Ｓ３０２でユーザの操作画面が図３の初期画面（５０１、５０２）に戻っているかどうかを判断するが、操作開始状態ではスルーとなり、Ｓ３０３へ移行する。Ｓ３０３ではユーザの操作画面が何らかの物理データを生成する機能操作を行う画面（機能操作実行画面）に遷移しているかどうかを判断する。
【００２４】
本例では、図３に示す５０３又は図５に示す６０１のカメラ撮影機能画面へ遷移し、写真撮影を行う操作画面に遷移しているかどうかを判断する。遷移していなければＳ３０１からＳ３０３のスループを繰り返す。５０３又は６０１に示すカメラ撮影機能画面に遷移していれば、Ｓ３０１で確保した一次メモリＤＢ２０１に５０３又は６０１の機能画面で取得した情報（メニュー番号、カメラ撮影の操作日時、位置情報等）を一時保存して一次メモリＤＢ２０１を最新の内容に更新する（Ｓ３０４）。
【００２５】
この時の一次メモリＤＢ２０１の一例を図７に示す。この段階では、図７に示すように一次メモリＤＢ２０１には、保存番号（ＩＤ−０）、メニュー番号、操作日時、ＧＰＳ情報（位置住所、住所情報）等が保存されている。
【００２６】
また、Ｓ３０４では類似操作機能結果物リストＤＢをメモリ１１３上で図４に示す４０３のＤＢ構造で確保する。類似操作機能結果物リストＤＢは後述するように一次メモリＤＢ２０１の項目を検索キーとして機能操作経験ＤＢ２０２を検索し、得られた情報をリストアップしたものである。機能操作経験ＤＢ２０２は図４に示す４０２のＤＢ構造で過去の機能操作時に得られた履歴情報を蓄積したものである。
【００２７】
次いで、Ｓ３０５に進み、現在一次メモリＤＢ２０１に保存されているメニュー番号、操作日時、ＧＰＳ情報（位置情報、位置住所）、操作結果物種、操作結果物付帯情報（保存場所、操作結果物名）のうち、メニュー番号、操作日時、位置情報、位置住所を順に検索キーにして、図７に示す過去の履歴情報を蓄積した機能操作経験ＤＢ２０２から検索する。なお、現在一次メモリＤＢには操作結果物種、操作結果物付帯情報（保存場所、操作結果物名）は保存されておらず、メニュー番号、操作日時、位置情報、位置住所を順に検索キーにして検索する。
【００２８】
この検索の結果、物理データを生成した日付が現在の日付に近く、位置情報や操作結果名等の類似性の高いものを上位からリスト化し、図７に示すように類似操作機能結果物リストＤＢ２０９に保存する。つまり、後述するように機能操作経験ＤＢ２０２から検索キーのメニュー番号が同じ、操作日時が設定された時間内、位置情報が設定された範囲内等に該当するものを検索する。類似操作機能結果物リストＤＢ２０９は図７に示すように機能操作経験ＤＢ２０２の項目のうち、ＩＤ−１（ユーザ操作の保存番号）、操作結果物種（写真、音楽、メール等）、操作結果名のテキスト情報（軽井沢高原、夏の軽井沢等）をリストアップしたものである。
【００２９】
次いで、その検索結果に基づいて類似性のある操作リストを作成できたかを判断し（Ｓ３０６）、類似性のあるリストを作成した場合には、Ｓ３０７に進み、操作中の画面上に類似性のある操作リストがある旨の表示を行う。具体的には、例えば、図５の６０２の画面に示すように「リスト」キーを表示したり、或いは写真撮影画面上のハートマークアイコンのように携帯電話機１０１を操作しているユーザが確認できる形態で表示装置１０３の画面上に表示する。
【００３０】
この状態で、作成したリストを画面上に表示することなく、図５の６０３から６０４の画面でカメラによる写真撮影を行う。次に、物理データ（写真データ）を携帯電話機１０１のメモリ（又は外部記憶装置やネットワーク上のサーバー）に保存すると、Ｓ３０８で機能実行を行い、物理データを得たかどうかを判断する。図５に示す６０３の画面は類似操作リストを開かずに写真撮影をした時の状態を、６０４に示す画面は撮影した写真が表示されている状態で再度、機能操作経験ＤＢから類似操作情報を検索した結果、（類似操作リスト）が表示された状態を示す。
【００３１】
次いで、Ｓ３０８で物理データ（この例では写真データ）を得られたと判断した場合には、Ｓ３０９に進み、一次メモリＤＢ２０１を現ＩＤ番号としてデータ更新を行い、機能操作経験ＤＢ２０２に新たな履歴情報として新しいＩＤ番号を付与し、一次メモリＤＢ２０１のデータを追加保存する。即ち、一次メモリＤＢ２０１のメニュー番号、操作日時、操作結果物種、操作結果名、物理データの保存場所等全ての項目の情報が機能操作経験ＤＢ２０２に追加記録される。
【００３２】
次に、上述のように作成したリストを画面上に表示する場合には、ユーザ操作により表示画面は図５に示すように６０２の画面から６０５の画面に遷移する。６０５の画面は機能操作経験ＤＢから類似操作情報を検索した結果を表示した状態を示す。また、ユーザ操作により６０５の画面から６０６の画面（表示した類似操作リストの位置情報（地図情報）を選択起動させて表示した状態）の画面と遷移する。この場合の処理は図２のフロー自体の動作とは関係なく、通常の携帯電話機の操作によるソフトウェアの動作に従うものとなる。
【００３３】
その際、図５に示す６０２の画面でユーザが「リスト」キーを押下すると、６０５の画面に示すように類似性の高いリストがポップアップ画面のような補助画面上に出力される。また、ユーザがキー装置１０８を使ってリスト項目を選択するためのカーソルの位置を移動させて選択を決定するキーを押下すると、６０６の画面に示すようにそのリストに対応する物理データ（この場合は地図情報）が表示される。これは、図７に示す機能操作経験ＤＢ２０２に示す保存場所から読み出される。
【００３４】
最後に、ユーザがカメラ撮影機能の利用をやめ、待ち受け画面やメニュー画面に戻ると、Ｓ３０２で初期画面に戻っていると判断し、Ｓ３１０で一次メモリＤＢ２０１と類似操作機能結果物リストＤＢ２０９の情報をメモリ１１３上から消去して、カメラ機能を用いた操作の処理を終了する。
【００３５】
次に、図２のＳ３０３でユーザの操作中の画面が機能実行画面に遷移している否かを判断しているが、この判断方法について説明する。本例では、携帯電話機１０１の機能のメニュー画面は図３のメニュー番号の例（５０５）に示すように３桁の数字で表現している。書式はＮ１−Ｎ２−Ｎ３であり、機能実行可能な画面はＮ３が０になる画面となっている。本例では、現在操作中の画面のメニュー番号を一次メモリＤＢ２０１へ読み込み、そのメニュー番号のＮ３が０であるか否かを読み取ることで、画面が機能実行画面に遷移しているか否かを判断している。
【００３６】
次に、図２のＳ３０５の類似性のある操作機能結果物リストを作成する方法を図６、図７を用いて説明する。図６は操作機能結果物リストを作成するためのソフトウェア動作の流れを示す図、図７は一次メモリＤＢ２０１、機能操作経験ＤＢ２０２及び類似操作機能結果物リスト２０９の一例を示す。
【００３７】
まず、図６に示す２０１は操作中の情報が保存されている一次メモリＤＢを示す。機能操作経験更新部（メインプログラム）２０３は機能操作経験及び類似操作機能検索部２０６を呼び出し、一次メモリＤＢ２０１の情報を検索キーとして機能操作経験ＤＢ２０２から検索を行い、該当する操作リストを作成する。
【００３８】
その際、機能操作経験及び類似操作機能検索部２０６は、図７に示すように一次メモリＤＢ２０１のメニュー番号、操作日時、位置情報、位置住所を順に検索キーとして検索する。これを図６に「メニュー番号近似検出」、「操作日時近似検出」、「位置情報近似検出」、「位置住所近似検出」として示す。
【００３９】
機能操作経験及び類似操作機能検索部２０６の「テキスト情報データ一致検出」は、「位置住所近似検出」の際に、例えば、「位置住所」の一部の文字列を検索キーとして「操作結果物名」のテキスト情報との一致検出を行う。
【００４０】
例えば、一次メモリＤＢ２０１の「位置住所」は「長野県軽井沢町」となっており、一例として、「軽井沢」を検索キーとして検索し、これが機能操作経験ＤＢ２０２の「操作結果名」にヒットするか否かを判定する。テキスト情報とは、図４に示すように類似操作機能結果物リストの抽出条件として検索対象になった「位置住所」や「操作結果名」でヒットした類似語を含む前後の短文をいう。
【００４１】
図７の例では、位置住所の「長野県軽井沢町」のうち検索キーの「軽井沢」が操作結果名の「軽井沢高原」、「夏の軽井沢」、「軽井沢での避暑を満喫中」、「軽井沢キャンプ場」、「軽井沢キャンプ記念写真」にヒットしており、これら操作結果名がテキスト情報として類似操作機能結果物リスト２０９に記録される。
【００４２】
また、「メニュー番号近似検出」とは、図３のメニュー番号例に示すようにＮ１−Ｎ２―Ｎ３でメニュー番号を表しており、そのうち、Ｎ１：機能種類（メニュー／待ち受け含む）を検索キーとして用いている。その際、本例では、Ｎ１は機能選択できる位置を０とし、その階層下の各アプリケーション機能をメイン機能として１、２、３、４、５、…、等と割り当てている。図７に示す機能操作経験ＤＢ２０２の例では、Ｎ１として「３」、「Ｂ」、「９」、「２」、「Ａ」等があるが、例えば、「３」は写真、「Ｂ」はワンセグ録画、「９」は音楽、「２」は送信メール、「Ａ」はＧＰＳである。本例では、メニュー番号を検索キーとして用いる場合には、Ｎ１が同じものを検索する。
【００４３】
なお、Ｎ２は機能実行親画面であり、例えば、カメラの撮影画面等である。Ｎ３は機能実行ＳＵＢ画面であり、例えば、キー操作による設定画面等をいう。これらは、本発明と直接関係はない。
【００４４】
「操作日時近似検出」は、現在の日時に対して予めユーザによって設定された時間内（例えば、１週間以内、１ヶ月以内等）の操作に関する情報を検索し、「位置情報近似検出」は現在位置に対して予めユーザによって設定された所定範囲内（例えば、半径１０Ｋｍ以内、１００Ｋｍ以内等）の位置に関する情報を検索する。「位置住所近似検出」は、例えば、図７に示すように位置住所の「長野県軽井沢町」を検索キーとして検索を行い、機能操作経験ＤＢ２０２の操作結果名から「軽井沢」とヒットするテキスト情報を抽出する。なお、現在の操作日時、位置情報等に対して検索する範囲はその都度ユーザが任意に設定できるものとする。
【００４５】
以上のようにメニュー番号、操作日時、位置情報、位置住所を検索キーとして機能操作経験ＤＢ２０２からメニュー番号のＮ１が同じ、操作日時が設定範囲内、位置情報が設定範囲内、位置住所が操作結果名にヒットするという条件で検索すると、図７の類似操作機能結果物リストＤＢ２０９に示すようにそれぞれの検索キーに該当する履歴情報が抽出される。
【００４６】
図６に示す類似操作機能結果物リスト連結部２０７は、この検索結果に基づいて機能操作経験ＤＢ２０２の保存場所から該当する物理データ（本例では写真データ等）を抽出する。更に、検索された各項目の情報を連結し、類似操作機能結果物リスト２０９に操作日時の新しい順にリスト化する。
【００４７】
このようにして作成した類似操作機能結果物リスト２０９はユーザ通知情報出力部２０８を介して図５の６０５や６０６の画面に示すようにユーザが確認できる形態で出力され、そのリストのうちユーザにより選択された物理データが画面上に表示される。その際、図５の６０６の画面では「地図情報」を表示しているが、これは、図５の６０５の画面で選択したのが図７の類似操作機能結果物リスト２０９に示すように操作結果物種が「ＧＰＳ」であるためである。
【００４８】
なお、図６に示す機能メニュー構成ＤＢ２０４はメニュー番号の構造等を記憶したＤＢである。また、操作結果物記憶媒体２０５は上述のように携帯電話機１０１のメモリ１１３、外部記憶装置、ネットワーク上のサーバー等である。
【００４９】
本実施形態では、カメラ撮影機能に入った段階で位置情報取得装置１１１がユーザの位置情報や位置住所を取得しているが、そういう情報が取得できない場合には、撮影する写真に位置情報を保存したり、写真に名前を付けたりした後に類似性のある操作機能結果物のリストを作成する。この時、一次メモリＤＢに位置情報や位置住所情報が保存されるため、ユーザの操作画面が初期画面に戻らない限り、ユーザの操作画面が機能実行可能な画面を表示していれば、類似性のある操作機能結果物のリストを作成することが可能となる。
【００５０】
以上のように本実施形態においては、携帯電話機１０１の機能操作時に過去の機能操作時に得られた履歴情報から、類似性の高い履歴情報を検索することにより、ユーザは携帯電話機を操作するだけで類似性の高い履歴情報を閲覧でき、ユーザの利便性を向上させることが可能となる。特に、現在の機能操作に対して操作日時、位置情報等を検索キーとして検索を行い、該当する履歴情報が得られるため、ユーザによって設定された検索キーに基づき、よりユーザの目的に合う類似性の高い履歴情報を閲覧することが可能となる。
【００５１】
なお、以上の実施形態では、機能操作経験ＤＢからメニュー番号、操作日時、位置情報、位置住所を検索キーとして検索する例を示したが、本発明はこれに限るものではない。例えば、位置情報のみを検索キーとして検索してもよいし、操作日時と位置情報を検索キーとして検索してもよいし、更には他の検索キーを用いて検索する等、検索キーの数や組み合わせは任意である。
【００５２】
また、カメラ撮影機能を用いた場合の例を示したが、本発明は、これに限ることはない。例えば、メール送信機能或いはＧＰＳ機能操作時等にも同様に機能操作経験ＤＢ２０２から過去の履歴情報を検索して、類似性のある操作リストをユーザに提供することが可能である。
【００５３】
なお、以上の実施形態の携帯情報端末は、ハードウェアによっても実現することができるが、コンピュータをその携帯情報端末として機能させるためのプログラムをコンピュータがコンピュータ読み取り可能な記録媒体から読み込んで実行することによっても実現することができる。また、以上の実施形態の履歴情報通知方法は、ハードウェアによっても実現することができるが、コンピュータにその方法を実行させるためのプログラムをコンピュータがコンピュータ読み取り可能な記録媒体から読み込んで実行することによっても実現することができる。
【産業上の利用可能性】
【００５４】
本発明は、例えば、携帯電話機のように小型で多機能な電子機器に好適であり、特に、習慣的行動を伴うが、まめに自分の習慣行動をかいまみる習慣を持たない忙しい学生やビジネスマン等の使用に好適である。
【符号の説明】
【００５５】
１０１  携帯電話機
１０２  プロセッサ
１０３  表示装置
１０４  スピーカー
１０５  マイク
１０６  時計
１０７  プログラム
１０８  キー装置
１０９  回線接続部
１１０  筐体振動部
１１１  位置情報取得部
１１２  筐体状態検出装置
２０１  一次メモリＤＢ
２０２  機能操作経験ＤＢ
２０９  類似操作機能結果物ｌリストＤＢ
４０１  一次メモリＤＢ構造
４０２  機能操作経験ＤＢ構造
４０３  類似操作機能結果物リストＤＢ構造
【図１】
2011108019.tif 000003
【図２】
2011108019.tif 000004
【図３】
2011108019.tif 000005
【図４】
2011108019.tif 000006
【図５】
2011108019.tif 000007
【図６】
2011108019.tif 000008
【図７】
2011108019.tif 000009